(57)【要約】【課題】電源を備える外部機器を接続されていない場合であっても、ジョブ実行時の電力を確保可能な画像処理装置を提供すること。【解決手段】ＭＦＰ１は、印刷ジョブＤ１を受け付けたか否かを判定する処理（Ｓ１１）と、印刷ジョブＤ１を受け付けたことに応じて、印刷ジョブＤ１の実行に必要な電力であるジョブ実行電力Ｗ３と、外部機器に供給する電力である供給電力Ｗ５とを合計した電力である合計電力Ｗ１が、電源２５から供給可能な最大の電力である電源供給可能電力Ｗ２を超えるか否かを判定する処理（Ｓ１５）と、合計電力Ｗ１が電源供給可能電力Ｗ２を超えることに応じて、印刷ジョブＤ１と電装装置との関連性に基づいて、電装装置に供給する電力である駆動電力Ｗ４を減らす処理（Ｓ２３など）と、駆動電力Ｗ４を減らした状態で印刷ジョブＤ１を実行する処理と、を実行する。【選択図】図３
2018166281.tif 000002
【特許請求の範囲】
【請求項１】
電源部と、
画像データを処理する画像処理部と、
前記電源部から電力を供給され、所定の規格に準ずる接続により外部機器へ電力を供給する外部インタフェースと、
前記電源部から電力を供給されて駆動する電装装置と、
ジョブに基づいて前記画像処理部を制御し画像データを処理させる制御装置と、を備え、
前記制御装置は、
前記ジョブを受け付けたか否かを判定する処理と、
前記ジョブを受け付けたことに応じて、前記ジョブの実行に必要な電力であるジョブ実行電力と、前記外部機器に供給する電力である供給電力とを合計した電力である合計電力が、前記電源部から供給可能な最大の電力である電源供給可能電力を超えるか否かを判定する処理と、
前記合計電力が前記電源供給可能電力を超えることに応じて、前記ジョブと前記電装装置との関連性に基づいて、前記電装装置に供給する電力である駆動電力を減らす処理と、
前記駆動電力を減らした状態で前記ジョブを実行する処理と、
を実行する、画像処理装置。
【請求項２】
前記制御装置は、前記合計電力が前記電源供給可能電力を超えることに応じて、前記ジョブの実行に必要性の低い前記電装装置の前記駆動電力を優先して減らす、請求項１に記載の画像処理装置。
【請求項３】
前記電装装置は、表示に係わる処理を実行する表示部と、通信に係わる処理を実行する通信部と、前記画像処理部の駆動に係わる駆動部とを有し、
前記制御装置は、前記ジョブの実行に必要性の低い前記電装装置の前記駆動電力を優先して減らす処理として、前記表示部、前記通信部、前記駆動部の順に前記駆動電力を減らす、請求項２に記載の画像処理装置。
【請求項４】
前記制御装置は、前記表示部及び前記通信部の両方の前記駆動電力を減らしたとしても、前記合計電力が前記電源供給可能電力を超えることに応じて、前記駆動部の前記駆動電力を減らす、請求項３に記載の画像処理装置。
【請求項５】
前記制御装置は、
前記ジョブの実行中に、前記外部インタフェースに接続された前記外部機器であって、且つ前記供給電力の供給を受けている前記外部機器への前記供給電力の供給を停止するか否かを判定する処理と、
前記供給電力の供給を停止することに応じて、停止することで確保した電力を用いて、前記ジョブの実行に合わせて減らした前記駆動電力を補う処理と、
を実行する、請求項１乃至請求項４の何れかに記載の画像処理装置。
【請求項６】
ユーザからの操作を受け付ける操作部を備え、
前記制御装置は、
前記電装装置に供給する前記駆動電力を減らす旨の操作が前記操作部になされたか否かを判定する処理と、
前記駆動電力を減らす旨の操作がなされたことに応じて、前記電装装置に供給する前記駆動電力を減らす処理と、
を実行する、請求項１乃至請求項５の何れかに記載の画像処理装置。
【請求項７】
前記電装装置は、前記画像処理部を駆動する駆動部を含み、
前記制御装置は、
前記駆動部の前記駆動電力を減らす可能性があることに応じて、前記電装装置に供給する前記駆動電力を減らす旨の操作が前記操作部になされたか否かの判定を実行する、
請求項６に記載の画像処理装置。
【請求項８】
前記画像処理部は、シートに画像を印刷する印刷部であり、
排気を実行することで前記印刷部の印刷にともなう温度上昇を抑制する排気ファンを備え、
前記制御装置は、
前記ジョブに設定された前記シートの印刷枚数が閾値以下であることに応じて、前記排気ファンの前記駆動電力を減らす、請求項１乃至７の何れかに記載の画像処理装置。
【請求項９】
前記制御装置は、
電源を備え、且つ前記供給電力の供給を受けている前記外部機器が存在するか否かを判定する処理と、
前記電源を備え、且つ前記供給電力の供給を受けている前記外部機器が存在することに応じて、当該外部機器の前記供給電力を減らす処理と、
を実行する、請求項１乃至８の何れかに記載の画像処理装置。
【発明の詳細な説明】
【技術分野】
【０００１】
本発明は、外部インタフェースから電力の供給を行う画像処理装置に関するものである。
【背景技術】
【０００２】
従来、接続された外部機器に電力の供給を行う画像処理装置がある（例えば、特許文献１など）。電力を供給可能な接続規格としては、例えば、ＵＳＢ（Ｕｎｉｖｅｒｓａｌ Ｓｅｒｉａｌ Ｂｕｓ）規格がある。ＵＳＢ２．０規格では、例えば、２．５Ｗの電力を供給することができる。また、新たに策定されたＵＳＢ  ＰＤ（ＵＳＢ Ｐｏｗｅｒ Ｄｅｌｉｖｅｒｙ）規格では、最大で１００Ｗという大容量の電力を供給可能となる。ＵＳＢ  ＰＤ規格では、給電方向を変えることが可能となる。例えば、特許文献１に記載される画像処理装置では、接続されたノートＰＣに電力を供給するだけでなく、ノートＰＣから電力の供給を受けている。
【０００３】
この画像処理装置は、印刷ジョブを受け付けると、電源を備える外部機器、例えば、ノートＰＣを、給電方向を切り替える外部機器として選択する。画像処理装置は、選択したノートＰＣへの電力の供給を停止する。そして、画像処理装置は、ノートＰＣの給電方向を切り替え、このノートＰＣから当該画像処理装置を経由して他の外部機器への電力の供給を開始する。即ち、画像処理装置から電力の供給を停止したノートＰＣを、印刷ジョブの実行中に電源として機能させ、他の外部機器への電力供給を行う。これにより、画像処理装置は、印刷時の電力を確保している。
【先行技術文献】
【特許文献】
【０００４】
【特許文献１】特開２０１５−１７４３７５号公報
【発明の概要】
【発明が解決しようとする課題】
【０００５】
しかしながら、上記した画像処理装置では、印刷時の電力を確保するためには、バッテリーなどの電源を備える外部機器（ノートＰＣなど）を接続される必要がある。画像処理装置は、電源を備える外部機器を接続されていない場合、印刷時の電力を確保することが困難となる。
【０００６】
本願は、上記の課題に鑑み提案されたものであって、電源を備える外部機器を接続されていない場合であっても、ジョブ実行時の電力を確保可能な画像処理装置を提供することを目的とする。
【課題を解決するための手段】
【０００７】
本願に係る画像処理装置は、電源部と、画像データを処理する画像処理部と、電源部から電力を供給され、所定の規格に準ずる接続により外部機器へ電力を供給する外部インタフェースと、電源部から電力を供給されて駆動する電装装置と、ジョブに基づいて画像処理部を制御し画像データを処理させる制御装置と、を備え、制御装置は、ジョブを受け付けたか否かを判定する処理と、ジョブを受け付けたことに応じて、ジョブの実行に必要な電力であるジョブ実行電力と、外部機器に供給する電力である供給電力とを合計した電力である合計電力が、電源部から供給可能な最大の電力である電源供給可能電力を超えるか否かを判定する処理と、合計電力が電源供給可能電力を超えることに応じて、ジョブと電装装置との関連性に基づいて、電装装置に供給する電力である駆動電力を減らす処理と、駆動電力を減らした状態でジョブを実行する処理と、を実行する。
【０００８】
合計電力が電源供給可能電力を超える場合、画像処理装置は、ジョブ実行電力を確保できない可能性が高い。そこで、制御装置は、ジョブと電装装置との関連性に基づいて、電装装置の駆動電力を減らす。制御装置は、例えば、ジョブの実行に必要性の低い電装装置の駆動電力を減らす。これにより、制御装置は、電源を備える外部機器を接続されていない場合であっても、ジョブとの関連性を考慮して電装装置の駆動電力を減らすことで、ジョブ実行電力を適切に確保できる。また、最大で１００Ｗという大容量の電力を双方向で供給可能なＵＳＢ  ＰＤでは、オフィスなどに設置したプリンタを、周辺機器（外部機器）の電源として活用する可能性もある。このような場合に、電装装置の駆動電力を減らしジョブ実行電力を確保しながら、外部機器への供給電力の供給を行える当該画像処理装置は、極めて有効である。
【発明の効果】
【０００９】
本願に係る画像処理装置によれば、電源を備える外部機器を接続されていない場合であっても、ジョブ実行時の電力を確保できる。
【図面の簡単な説明】
【００１０】
【図１】本実施形態に係るＭＦＰの斜視図である。
【図２】ＭＦＰの電気的構成を示すブロック図である。
【図３】供給電力動的確保制御の内容を示すフローチャートである。
【図４】供給電力動的確保制御の内容を示すフローチャートである。
【図５】供給電力動的確保制御の内容を示すフローチャートである。
【発明を実施するための形態】
【００１１】
以下、本願の画像処理装置を具体化した一実施形態であるＭＦＰ１について図１及び図２を参照しつつ説明する。
【００１２】
（１．ＭＦＰの構成）
図１は、本実施形態のＭＦＰ（Multi-Function Peripheral）１の斜視図を示している。ＭＦＰ１は、印刷機能、コピー機能、スキャナ機能、ＦＡＸ機能を備える複合機である。図１に示すように、ＭＦＰ１は、筐体１０、ＵＳＢインタフェース１９、ユーザインタフェース２０、給紙トレイ４１、排紙トレイ４２、及び上カバー４３などを備える。なお、以下の説明では、ＭＦＰ１の正面に立ったユーザの視点を基準とした方向を用いて説明する。即ち、図１における手前を「前」、奥を「後」とし、上を「上」、下を「下」とし、左を「左」、右を「右」とする。
【００１３】
筐体１０は、略箱形をなし、後述するＣＰＵ１２、ＮＶＲＡＭ１５、画像形成部１６（図２参照）などを内部に収納する。ユーザインタフェース２０は、筐体１０の上面前側に設置されている。ユーザインタフェース２０は、タッチパネル２１、及びテンキー２２などの操作ボタンを有する。ＵＳＢインタフェース１９は、筐体１０の前面上側に設置されている。本実施形態のＵＳＢインタフェース１９は、ＵＳＢ（Universal Serial Bus）規格に準拠したコネクタであるレセプタクル１９１を３つ備える。筐体１０の下側には、シート（紙やＯＨＰなど）を収容する給紙トレイ４１が設置されている。ユーザは、給紙トレイ４１を前方に引出し、給紙トレイ４１にシートを入れることができる。給紙トレイ４１の上には、画像を形成したシートを支持する排紙トレイ４２が設置されている。上カバー４３は、後方に不図示の回動軸を有し、上方に回動可能となっている。上カバー４３の下には、原稿台が設置されている。ユーザは、画像読取部１７（図２参照）に原稿を読み取らせる（スキャンさせる）際、上カバー４３を回動させ、露出する原稿台に原稿を載置する。
【００１４】
次に、図２を用いて、ＭＦＰ１の電気的構成について説明する。ＭＦＰ１は、ＣＰＵ１２、ＲＡＭ１３、ＲＯＭ１４、ＮＶＲＡＭ（不揮発性メモリ）１５、画像形成部１６、画像読取部１７、ＦＡＸ通信部１８、ＵＳＢインタフェース１９、ユーザインタフェース２０、ネットワークインタフェース２４、排気ファン２６、及び無線通信部２８などを備えている。これらのＣＰＵ１２等は、バス１１で互いに接続されている。また、ＭＦＰ１は、商用電源から電力を供給する電源２５を備えている。電源２５は、電源コードや電源回路（ブリッジダイオード、平滑化回路など）を備え、商用電源から直流電源を生成し、電源線にてＭＦＰ１が備える各部へ電力を供給する。
【００１５】
ＲＯＭ１４は、各種プログラムを記憶している。ＣＰＵ１２は、ＲＯＭ１４から読み出したプログラムを実行し、処理結果をＲＡＭ１３に一時的に記憶させながら、バス１１で接続された各部を制御する。ＮＶＲＡＭ１５には、電力情報１５１、及び画像データ１５３が保存される。電力情報１５１は、電源２５（電源部）から供給可能な最大の電力である電源供給可能電力の情報を含んでいる。画像データ１５３は、コピー機能やＦＡＸ機能等で原稿を読み取って形成した画像データ、あるいは外部から印刷指示を受け付けた画像データなどである。
【００１６】
画像形成部１６は、ヘッド１６１、インクカートリッジ１６２、及び駆動部１６３を有する。インクカートリッジ１６２は、インクを収容する。ヘッド１６１は、インクカートリッジ１６２から供給されるインクをシートに吐出する。駆動部１６３は、ヘッド１６１を駆動するモータや、モータを冷却するための冷却ファンを備える。これにより、画像形成部１６は、ＣＰＵ１２の制御に基づいて、駆動部１６３によってヘッド１６１を駆動し、インクジェット方式によりシートに画像を印刷する。画像読取部１７は、不図示の原稿台及びＣＩＳ（Contact Image Sensor）を備える。画像読取部１７は、原稿台に載置された原稿に対してＣＩＳを移動させ、原稿を読み取り、画像データ１５３を生成する。
【００１７】
ＦＡＸ通信部１８は、電話回線を介して、他のファクシミリ装置との間でＦＡＸデータの送受信を行う。ＵＳＢインタフェース１９は、レセプタクル１９１（図１参照）に接続された外部機器（ＵＳＢメモリなど）に対して、データの読み出し及び書き込みを行う。例えば、本実施形態の３つのＵＳＢインタフェース１９のうち、２つには、ＵＳＢメモリである常設メモリ３１及び外部メモリ３２がそれぞれ装着されている。ここでいう常設メモリ３１とは、例えば、ＦＡＸ機能やコピー機能の際に使用される予備メモリであり、ＮＶＲＡＭ１５の空き容量が所定値未満である場合に、画像データ１５３の記憶先として使用される。また、外部メモリ３２は、例えば、ユーザごとに個人で使用するメモリである。このため、外部メモリ３２は、ユーザによって適宜着脱される。常設メモリ３１及び外部メモリ３２は、電源を備えておらず、レセプタクル１９１を介してＭＦＰ１（電源２５）から電力を供給されて動作する。
【００１８】
また、３つのＵＳＢインタフェース１９のうち、残りの１つには、ノートＰＣ３３が接続されている。ノートＰＣ３３は、電源３３Ａを備える。電源３３Ａは、例えば、商用電源から電力供給を受ける装置（ＡＣアダプタ、電源回路など）や、供給された電力を蓄積するバッテリーである。例えば、ノートＰＣ３３は、内蔵している電源３３Ａで動作するが、ＭＦＰ１からの電力の供給を受け、バッテリーを充電等する。
【００１９】
ユーザインタフェース２０は、ＣＰＵ１２の制御に基づいて、例えば各種の設定画面や装置の動作状態等をタッチパネル２１（図１参照）に表示する。また、ユーザインタフェース２０は、タッチパネル２１、テンキー２２（図１参照）などで受け付けた操作を信号としてＣＰＵ１２へ送信する。ネットワークインタフェース２４は、例えば、ＬＡＮ（Local Area Network）インタフェースであり、ＬＡＮケーブル（図示略）を介してネットワークＮＷに接続されている。本実施形態のネットワークＮＷには、例えば、ＰＣ６１やファイルサーバ６３が接続されている。ユーザは、例えばＰＣ６１を操作することで、ＭＦＰ１に対して印刷指示を行うことができる。ＭＦＰ１は、ＰＣ６１から印刷指示（印刷ジョブＤ１の画像データ１５３）を受信し、印刷ジョブＤ１（画像データ１５３）に基づいて印刷を実行する。画像形成部１６は、画像データ１５３に基づいてシートに画像を印刷する。また、ＭＦＰ１は、ファイルサーバ６３に対し、画像データ１５３のアップロードやダウンロードを実行することができる。
【００２０】
また、排気ファン２６は、ＭＦＰ１内部の温度上昇を抑制するために、送風によって内部を冷却するためのファンである。無線通信部２８は、例えば、近距離無線通信方式（ＮＦＣ方式）で携帯端末と通信を行うものであり、ループアンテナなどを備えている。ＭＦＰ１は、例えば、無線通信部２８と携帯端末とのＮＦＣ通信によって、印刷を許可するユーザを認証することが可能となっている。
【００２１】
（２．供給電力動的確保制御）
次に、本実施形態のＭＦＰ１によるＵＳＢインタフェース１９の供給電力動的確保制御について、図３〜図５を参照しつつ、説明する。以下の説明では、本願のジョブの一例として印刷ジョブＤ１を受け付けた場合について説明する。ＣＰＵ１２は、例えば、ＲＯＭ１４に保存されたプログラムを、ＭＦＰ１の起動時に実行することで図３〜図５に示す供給電力動的確保制御を開始する。
【００２２】
まず、図３のステップ（以下、単に「Ｓ」と記載する）１１において、ＭＦＰ１のＣＰＵ１２は、印刷ジョブＤ１を受け付けたか否かを判定する。ここでいう印刷ジョブＤ１とは、例えば、ＰＣ６１から受信する印刷ジョブＤ１（印刷指示）である。あるいは、印刷ジョブＤ１とは、タッチパネル２１を操作してコピー機能を実行させるためのジョブである。従って、ここでいう印刷ジョブＤ１とは、例えば、画像形成部１６の駆動をともなうＭＦＰ１に対する指示や命令である。なお、本願のジョブは、印刷ジョブＤ１に限らず、例えば、スキャナ機能やＦＡＸ機能を実行するためのジョブでもよい。この場合にも、ＭＦＰ１は、後述する印刷ジョブＤ１の場合と同様に、電装装置（画像読取部１７など）の供給電力を下げ、電力を確保できる。
【００２３】
ＣＰＵ１２は、印刷ジョブＤ１を受け付けるまで（Ｓ１１：ＮＯ）、Ｓ１１の判定処理を繰り返し実行する。このため、ＣＰＵ１２は、ＭＦＰ１の起動後、印刷ジョブＤ１の受け付け判定を常時実行している。
【００２４】
Ｓ１１において、ＣＰＵ１２は、例えば、ＰＣ６１からネットワークインタフェース２４を介して印刷ジョブＤ１を受信すると（Ｓ１１：ＹＥＳ）、ＵＳＢインタフェース１９を介して外部機器に電力の供給を実行しているか否かを判定する（Ｓ１３）。ＣＰＵ１２は、例えば、ＵＳＢインタフェース１９に外部機器を接続されていない場合、ＵＳＢインタフェース１９からの電力供給を実行しない。また、ＣＰＵ１２は、例えば、電源３３Ａを備えるＰＣ６１などの電源を備える（以下、「電源駆動」という場合がある）外部機器のみを接続されている場合、ＵＳＢインタフェース１９から電力供給を実行しない場合がある。
【００２５】
ＣＰＵ１２は、ＵＳＢインタフェース１９からの電力供給を実行していないことに応じて（Ｓ１３：ＮＯ）、印刷ジョブＤ１を実行する（図５に示すＳ４３）。この場合、ＣＰＵ１２は、後述する電装装置の駆動電力を制御（図４のＳ２７など）する必要がなく、印刷ジョブＤ１の実行に必要な電力（以下、「ジョブ実行電力」という場合がある）を確保できる可能性が高い。そこで、ＵＳＢインタフェース１９の電力供給を実行していない場合、ＣＰＵ１２は、通常通り印刷ジョブＤ１を実行し、図３〜図５に示す処理を終了する。
【００２６】
一方で、Ｓ１３において、ＣＰＵ１２は、ＵＳＢインタフェース１９からの電力供給を実行していることに応じて（Ｓ１３：ＹＥＳ）、印刷ジョブＤ１の実行に必要なジョブ実行電力と、外部機器に供給する供給電力との合計電力Ｗ１が、電源２５から供給可能な電源供給可能電力Ｗ２を超えるか否かを判定する（Ｓ１５）。電源供給可能電力Ｗ２及びジョブ実行電力の値は、例えば、予めＮＶＲＡＭ１５の電力情報１５１に保存されている。供給電力の値は、例えば、デバイス情報に基づいて検出できる。ここでいうデバイス情報とは、例えば、プラグアンドプレイ（ＰｎＰ）機能により、新たに接続された外部機器に対して要求する情報である。ＣＰＵ１２は、例えば、外部機器の製造元のベンダーＩＤ、プロダクトＩＤ、ＵＳＢデバイスクラスＩＤなどのＵＳＢデバイス情報の他に、外部機器の動作（駆動）に必要な動作可能電力やバッテリーを備えているかなどの情報を取得する。ここでいう動作可能電力とは、例えば、外部機器を動作させるのに最低限必要な電力である。ＣＰＵ１２は、外部機器の動作可能電力を、その外部機器の供給電力として設定できる。なお、例えば、ＣＰＵ１２は、ＵＳＢインタフェース１９の電源ラインの電力を検出することで供給電力を検出してもよい。あるいは、供給電力の検出は、外部機器側で実行してもよい。この場合、ＣＰＵ１２は、外部機器からの通知を受けることで供給電力を取得できる。
【００２７】
ＣＰＵ１２は、合計電力Ｗ１が電源供給可能電力Ｗ２以下であることに応じて（Ｓ１５：ＮＯ）、印刷ジョブＤ１を実行する（図５に示すＳ４３）。この場合、ＣＰＵ１２は、後述する電装装置の駆動電力を制御（図４のＳ２７など）する必要がなく、印刷ジョブＤ１のジョブ実行電力を確保できる可能性が高い。そこで、合計電力Ｗ１が電源供給可能電力Ｗ２以下の場合、ＣＰＵ１２は、通常通り印刷ジョブＤ１を実行し、図３〜図５に示す処理を終了する。
【００２８】
一方で、Ｓ１５において、ＣＰＵ１２は、合計電力Ｗ１が電源供給可能電力Ｗ２を超えることに応じて（Ｓ１５：ＹＥＳ）、ＵＳＢインタフェース１９に接続される外部機器の中に、電源駆動の外部機器で、且つＭＦＰ１から電力の供給を受けている外部機器があるか否かを判定する（Ｓ１７）。外部機器が電源を備える（電源駆動）であるか否かの判定は、例えば、上記したデバイス情報に基づいて判定することができる。
【００２９】
ＣＰＵ１２は、電源駆動の外部機器で、且つＭＦＰ１から電力の供給を受けている外部機器が存在しないことに応じて（Ｓ１７：ＮＯ）、Ｓ２１以降の処理を実行する。また、ＣＰＵ１２は、電源駆動の外部機器で、且つＭＦＰ１から電力の供給を受けている外部機器が存在することに応じて（Ｓ１７：ＹＥＳ）、当該電源駆動の外部機器への供給電力Ｗ５の供給を停止する（Ｓ１９）。これにより、電源駆動の外部機器へ供給していた電力分を確保し、印刷ジョブＤ１を実行するジョブ実行電力Ｗ３に使用することができる。また、電源駆動の外部機器は、印刷ジョブＤ１の実行中において、自身の備える電源（バッテリーなど）によって電力を確保できる。ＣＰＵ１２は、外部機器への電力供給を停止した後、Ｓ２１以降の処理を実行する。なお、ＣＰＵ１２は、外部機器への電力供給を完全に停止せずに、供給電力Ｗ５を下げる処理をしてもよい。例えば、ＣＰＵ１２は、合計電力Ｗ１が電源供給可能電力Ｗ２以下になるまで、外部機器の供給電力Ｗ５を下げてもよい。
【００３０】
次に、Ｓ２１において、ＣＰＵ１２は、印刷ジョブＤ１の印刷枚数が閾値Ｔ１以下であるか否かを判定する。閾値Ｔ１は、例えば、予め設定されＮＶＲＡＭ１５に保存されている。ＣＰＵ１２は、印刷枚数が閾値Ｔ１より多いことに応じて（Ｓ２１：ＮＯ）、図４のＳ２５以降の処理を開始する。また、ＣＰＵ１２は、印刷枚数が閾値Ｔ１以下であることに応じて（Ｓ２１：ＹＥＳ）、排気ファン２６に供給する駆動電力Ｗ４を下げる（Ｓ２３）。印刷枚数が少ない場合、画像形成部１６の駆動時間も短くなり、ＭＦＰ１の装置内部の温度上昇が抑制される。このため、排気ファン２６への駆動電力Ｗ４の供給を停止しても、画像形成部１６における印刷精度を確保できる可能性がある。そこで、本実施形態のＣＰＵ１２は、印刷枚数が少ないこと（印刷ジョブＤ１との関連性）に応じて排気ファン２６を停止させ、ジョブ実行電力Ｗ３を確保する。なお、ＣＰＵ１２は、排気ファン２６への駆動電力Ｗ４の供給を完全に停止せずに、駆動電力Ｗ４を下げてもよい。この場合、排気ファン２６の送風能力を下げつつ、ジョブ実行電力Ｗ３を確保しながら、且つ印刷精度を確保することができる。ＣＰＵ１２は、Ｓ２３を実行した後、図４のＳ２５を実行する。
【００３１】
図４のＳ２５において、ＣＰＵ１２は、合計電力Ｗ１が電源供給可能電力Ｗ２を超えるか否かについて再度判定する（Ｓ２５）。これは、上記した外部機器への供給電力Ｗ５の供給停止（図３のＳ１９）や、排気ファン２６への駆動電力Ｗ４の供給停止（Ｓ２３）により、ジョブ実行電力Ｗ３を確保できている可能性があるためである。
【００３２】
ＣＰＵ１２は、合計電力Ｗ１が電源供給可能電力Ｗ２以下であることに応じて（Ｓ２５：ＮＯ）、印刷ジョブＤ１を実行する（図５に示すＳ４３）。この場合、ＣＰＵ１２は、後述する電装装置の駆動電力を制御（Ｓ２７など）する必要がなく、印刷ジョブＤ１のジョブ実行電力Ｗ３を確保できる可能性が高い。そこで、合計電力Ｗ１が電源供給可能電力Ｗ２以下の場合、ＣＰＵ１２は、通常通り印刷ジョブＤ１を実行し、図３〜図５に示す処理を終了する。
【００３３】
一方で、Ｓ２５において、ＣＰＵ１２は、合計電力Ｗ１が電源供給可能電力Ｗ２を超えることに応じて（Ｓ２５：ＹＥＳ）、表示に係わる処理を実行する表示部であるタッチパネル２１の駆動電力Ｗ４を減らせばジョブ実行電力Ｗ３を確保できるか否かを判定する（Ｓ２７）。タッチパネル２１は、印刷時に、情報の表示をする必要がなくなる可能性がある。そこで、ＣＰＵ１２は、後述する通信系や駆動系に先立って、まず表示系のタッチパネル２１の駆動電力Ｗ４を減らすことでジョブ実行電力Ｗ３を確保できるか、即ち、合計電力Ｗ１が電源供給可能電力Ｗ２以下となるか判定する。タッチパネル２１の駆動電力Ｗ４は、例えば、０．５Ｗである。なお、ＣＰＵ１２は、表示系の駆動電力Ｗ４を減らす処理として、タッチパネル２１以外にもユーザインタフェース２０の他の機器の駆動電力Ｗ４を減らしてもよい。
【００３４】
ＣＰＵ１２は、タッチパネル２１の駆動電力Ｗ４を減らす（供給停止を含む）ことでジョブ実行電力Ｗ３を確保できることに応じて（Ｓ２７：ＹＥＳ）、Ｓ３７以降の処理を実行する。Ｓ３７において、ＣＰＵ１２は、タッチパネル２１の駆動電力Ｗ４を減らすことによる影響（機能の低下など）をタッチパネル２１に表示する。ＣＰＵ１２は、例えば、印刷中にタッチパネル２１を消灯させる旨をタッチパネル２１に表示し（Ｓ３７）、図５のＳ３９を実行する。
【００３５】
また、ＣＰＵ１２は、タッチパネル２１の駆動電力Ｗ４を減らしてもジョブ実行電力Ｗ３を確保できない、即ち、合計電力Ｗ１が電源供給可能電力Ｗ２を超えることに応じて（Ｓ２７：ＮＯ）、Ｓ２９を実行する。Ｓ２９において、ＣＰＵ１２は、タッチパネル２１（表示系）に加え通信系の電装装置の駆動電力Ｗ４を減らせばジョブ実行電力Ｗ３を確保できるか否かを判定する。ここでいう通信系の電装装置とは、通信に係わる処理を実行する通信部であり、例えば、ネットワークインタフェース２４や無線通信部２８である。ネットワークインタフェース２４等は、外部と通信できなくなる可能性があるものの、印刷時に一時的に駆動電力Ｗ４を減らすことが可能である。そこで、ＣＰＵ１２は、後述する駆動系に先立って、表示系と通信系（ネットワークインタフェース２４等）の駆動電力Ｗ４を減らすことでジョブ実行電力Ｗ３を確保できるか判定する。ネットワークインタフェース２４や無線通信部２８の駆動電力Ｗ４は、例えば、２．０Ｗである。このため、上記した消費電力の少ないタッチパネル２１の駆動電力Ｗ４を減らす場合に比べて、通信系の駆動電力Ｗ４を減らすことで、ジョブ実行電力Ｗ３を確保できる可能性がある。なお、ＣＰＵ１２は、表示系と通信系との合計の駆動電力Ｗ４ではなく、通信系の駆動電力Ｗ４のみを減らすことでジョブ実行電力Ｗ３を確保できないか判定してもよい。
【００３６】
ＣＰＵ１２は、表示系に加え通信系の駆動電力Ｗ４を減らす（供給停止を含む）ことでジョブ実行電力Ｗ３を確保できることに応じて（Ｓ２９：ＹＥＳ）、Ｓ３７以降の処理を実行する。Ｓ３７において、ＣＰＵ１２は、表示系に加え通信系の駆動電力Ｗ４を減らすことによる影響をタッチパネル２１に表示する。ＣＰＵ１２は、例えば、タッチパネル２１の消灯に加え、印刷中にネットワークインタフェース２４を介してＰＣ６１やファイルサーバ６３と通信できない旨をタッチパネル２１に表示し（Ｓ３７）、図５のＳ３９を実行する。また、ＣＰＵ１２は、例えば、印刷中に無線通信部２８を介して携帯端末と通信できない旨をタッチパネル２１に表示する（Ｓ３７）。
【００３７】
また、ＣＰＵ１２は、表示系に加え通信系の駆動電力Ｗ４を減らしてもジョブ実行電力Ｗ３を確保できないことに応じて（Ｓ２９：ＮＯ）、Ｓ３１を実行する。Ｓ３１において、ＣＰＵ１２は、駆動系の電装装置の駆動電力Ｗ４を減らせばジョブ実行電力Ｗ３を確保できるか否かを判定する。ここでいう駆動系の電装装置とは、例えば、画像形成部１６の駆動に係わる駆動部１６３であり、駆動部１６３のモータや冷却ファンである。駆動部１６３の駆動電力Ｗ４の低下は、印刷速度の低下に繋がる。しかしながら、駆動部１６３は、上記した表示系（タッチパネル２１）や通信系（ネットワークインタフェース２４）などに比べて大きな電力（例えば、６０Ｗ）を必要とする。このため、例えば、駆動部１６３の機能を低下させ、印刷速度を遅らせて確保できる電力は大きくなる。そこで、ＣＰＵ１２は、表示系と通信系の駆動電力Ｗ４を減らしてもジョブ実行電力Ｗ３を確保できないことに応じて（Ｓ２９：ＮＯ）、駆動部１６３の駆動電力Ｗ４を減らせばジョブ実行電力Ｗ３を確保できるか判定する（Ｓ３１）。
【００３８】
ＣＰＵ１２は、駆動系の駆動電力Ｗ４を減らすことでジョブ実行電力Ｗ３を確保できることに応じて（Ｓ３１：ＹＥＳ）、Ｓ３７以降の処理を実行する。Ｓ３７において、ＣＰＵ１２は、駆動系の駆動電力Ｗ４を減らすことによる影響をタッチパネル２１に表示する。ＣＰＵ１２は、例えば、印刷速度が低下する旨をタッチパネル２１に表示し（Ｓ３７）、図５のＳ３９を実行する。
【００３９】
また、ＣＰＵ１２は、駆動系の駆動電力Ｗ４を減らしてもジョブ実行電力Ｗ３を確保できないことに応じて（Ｓ３１：ＮＯ）、Ｓ３３を実行する。Ｓ３３において、ＣＰＵ１２は、表示系、通信系、駆動系の駆動電力Ｗ４を減らせばジョブ実行電力Ｗ３を確保できるか否かを判定する。即ち、ＣＰＵ１２は、上記した３つの系統の駆動電力Ｗ４を減らすことでジョブ実行電力Ｗ３を確保できるか判定する。３つの系統の駆動電力Ｗ４を減らしてもジョブ実行電力Ｗ３を確保できないことに応じて（Ｓ３３：ＮＯ）、ＣＰＵ１２は、印刷ジョブＤ１を実行する（図５のＳ４３）。この場合、ＣＰＵ１２は、ＭＦＰ１の電装装置（タッチパネル２１など）の駆動電力Ｗ４を減らしてもジョブ実行電力Ｗ３を確保できないため、例えば、ＵＳＢインタフェース１９に接続された外部機器の供給電力Ｗ５を減らして印刷ジョブＤ１を実行する。あるいは、ＣＰＵ１２は、タッチパネル２１の供給電力Ｗ５を減らしつつ、外部機器の供給電力Ｗ５を減らし、ジョブ実行電力Ｗ３を確保してもよい。なお、ＣＰＵ１２は、外部機器の供給電力Ｗ５を減らす場合に、タッチパネル２１のタッチ操作に応じて減らす量を設定可能な構成でもよい。この場合、ＣＰＵ１２は、電源供給可能電力Ｗ２や合計電力Ｗ１をタッチパネル２１に表示し、不足しているジョブ実行電力Ｗ３の大きさをタッチパネル２１に表示してもよい。
【００４０】
また、Ｓ３３において、ＣＰＵ１２は、表示系、通信系、駆動系の３つの駆動電力Ｗ４を減らすことでジョブ実行電力Ｗ３を確保できることに応じて（Ｓ３３：ＹＥＳ）、Ｓ３７以降の処理を実行する。Ｓ３７において、ＣＰＵ１２は、３つの系統の駆動電力Ｗ４を減らすことによる影響（印刷速度の低下など）をタッチパネル２１に表示し（Ｓ３７）、図５のＳ３９を実行する。
【００４１】
図５のＳ３９において、ＣＰＵ１２は、駆動電力Ｗ４を減らしてもよいか否かの最終判断をユーザから受け付ける。ユーザは、例えば、上記したＳ３７の表示を確認し機能低下の影響を考慮しながらタッチパネル２１を操作し、駆動電力Ｗ４を減らすか否かを入力する。ＣＰＵ１２は、タッチパネル２１に対する操作に応じて、駆動電力Ｗ４を減らす旨の操作がなされたか否かを判定する（Ｓ３９）。ＣＰＵ１２は、例えば、ユーザによって駆動電力Ｗ４を減らさない旨の操作がなされたことに応じて（Ｓ３９：ＮＯ）、印刷を実行する（Ｓ４３）。この場合、ＣＰＵ１２は、例えば、ＵＳＢインタフェース１９に接続された外部機器の供給電力Ｗ５を減らしジョブ実行電力Ｗ３を確保して印刷ジョブＤ１を実行する。
【００４２】
また、Ｓ３９においてユーザによって駆動電力Ｗ４を減らす旨の操作がなされたことに応じて（Ｓ３９：ＹＥＳ）、上記した図４のＳ２７、Ｓ２９、Ｓ３１、及びＳ３３の何れかでなされた設定に基づいて駆動電力Ｗ４を減らす（Ｓ４１）。ＣＰＵ１２は、駆動電力Ｗ４を減らした後、印刷ジョブＤ１を実行する（Ｓ４５）。これにより、ＣＰＵ１２は、印刷の実行とＵＳＢインタフェース１９による供給電力Ｗ５の供給とを同時に行うことが可能な必要最低限の駆動電力Ｗ４を供給し、印刷ジョブＤ１を実行することが可能となる（Ｓ４５）。
【００４３】
印刷ジョブＤ１の実行を開始した後（Ｓ４５）、ＣＰＵ１２は、印刷中に供給電力Ｗ５を停止した外部機器が存在するか否かを判定する（Ｓ４７）。ＣＰＵ１２は、ＵＳＢインタフェース１９に接続された外部機器であって、且つ供給電力Ｗ５の供給を受けている外部機器への供給電力Ｗ５の供給を停止したか否かを判定する（Ｓ４７）。例えば、ユーザによって常設メモリ３１を抜かれると、常設メモリ３１への供給電力Ｗ５の供給は、停止する。あるいは、ユーザによってタッチパネル２１に対し常設メモリ３１を取り外す旨の操作がなされると、常設メモリ３１への供給電力Ｗ５の供給は停止する。従って、外部機器への供給電力Ｗ５の供給は、ソフトウェア的に供給電力Ｗ５の供給を停止した場合や、供給中に接続を強制的に解除された場合を含む。
【００４４】
ＣＰＵ１２は、印刷中に供給電力Ｗ５を停止した外部機器が存在しないことに応じて（Ｓ４７：ＮＯ）、Ｓ５１の処理を実行する。また、ＣＰＵ１２は、印刷中に供給電力Ｗ５を停止した外部機器が存在することに応じて（Ｓ４７：ＹＥＳ）、供給電力Ｗ５の停止により確保した余剰電力を、Ｓ４１で下げた駆動電力Ｗ４に使用する（Ｓ４９）。これにより、駆動電力Ｗ４を下げられたタッチパネル２１等の電装装置は、駆動電力Ｗ４を増やされることで、通常時の能力に戻る、あるいは通常時の能力に近づくこととなる。ＣＰＵ１２は、Ｓ４９において余剰電力を駆動電力Ｗ４として使用した後、Ｓ５１の処理を実行する。
【００４５】
ＣＰＵ１２は、Ｓ５１において、印刷ジョブＤ１の実行を終了したか否かを判定する。ＣＰＵ１２は、印刷ジョブＤ１の実行を終了していないことに応じて（Ｓ５１：ＮＯ）、Ｓ４７からの処理を再度実行する。これにより、ＣＰＵ１２は、印刷中において、供給電力Ｗ５を停止した外部機器が存在するか否か、即ち、余剰電力を確保できたか否かを判定し続ける。
【００４６】
また、ＣＰＵ１２は、印刷ジョブＤ１の実行を終了したことに応じて（Ｓ５１：ＹＥＳ）、図３のＳ２３や上記したＳ４１で駆動電力Ｗ４を減らしていれば、その減らした駆動電力Ｗ４を元に戻す処理を実行する（Ｓ５３）。即ち、ＣＰＵ１２は、印刷を終了したため、駆動電力Ｗ４の設定を印刷前の状態に戻す（Ｓ５３）。
【００４７】
次に、ＣＰＵ１２は、Ｓ５３を実行した後、図３のＳ１９で停止した供給電力Ｗ５、即ち、Ｓ１９で電源駆動の外部機器への供給電力Ｗ５を停止する設定をした場合には、その設定を元に戻す処理を実行する（Ｓ５５）。そして、ＣＰＵ１２は、図３〜図５に示す処理を終了する。なお、ＣＰＵ１２は、図５のＳ４３で印刷ジョブＤ１を実行した後、上記したＳ５３、Ｓ５５の処理を実行し駆動電力Ｗ４や供給電力Ｗ５を元に戻した後、図３〜図５に示す処理を終了する。
【００４８】
因みに、ＭＦＰ１は、画像処理装置の一例である。ＣＰＵ１２は、制御装置の一例である。画像形成部１６は、画像処理部の一例である。ネットワークインタフェース２４は、通信部の一例である。ＵＳＢインタフェース１９は、外部インタフェースの一例である。タッチパネル２１は、電装装置、表示部、操作部の一例である。ネットワークインタフェース２４、排気ファン２６、駆動部１６３は、電装装置の一例である。電源２５は、電源部の一例である。常設メモリ３１、外部メモリ３２、ノートＰＣ３３は、外部機器の一例である。
【００４９】
（３．効果）
以上、上記した実施形態によれば、以下の効果を奏する。
（１）本実施形態のＭＦＰ１（画像処理装置）は、電源２５（電源部）と、画像データ１５３を処理する画像形成部１６（画像処理部）と、電源２５から電力を供給され、所定の規格に準ずる接続により外部機器（常設メモリ３１など）へ電力を供給するＵＳＢインタフェース１９（外部インタフェース）と、電源２５から電力を供給されて駆動する電装装置（タッチパネル２１、排気ファン２６、ネットワークインタフェース２４、駆動部１６３など）と、印刷ジョブＤ１（ジョブ）に基づいて画像形成部１６を制御し画像データ１５３を処理させるＣＰＵ１２（制御装置）と、を備える。ＣＰＵ１２は、印刷ジョブＤ１を受け付けたか否かを判定する処理（図３のＳ１１）と、印刷ジョブＤ１を受け付けたことに応じて、印刷ジョブＤ１の実行に必要な電力であるジョブ実行電力Ｗ３と、外部機器に供給する電力である供給電力Ｗ５とを合計した電力である合計電力Ｗ１が、電源２５から供給可能な最大の電力である電源供給可能電力Ｗ２を超えるか否かを判定する処理（Ｓ１５）と、合計電力Ｗ１が電源供給可能電力Ｗ２を超えることに応じて、印刷ジョブＤ１と電装装置との関連性に基づいて、電装装置に供給する電力である駆動電力Ｗ４を減らす処理（図３のＳ２３、図５のＳ４１）と、駆動電力Ｗ４を減らした状態で印刷ジョブＤ１を実行する処理（Ｓ４５）と、を実行する。
【００５０】
合計電力Ｗ１が電源供給可能電力Ｗ２を超える場合、ＭＦＰ１は、ジョブ実行電力Ｗ３を確保できない可能性が高い。そこで、ＣＰＵ１２（制御装置）は、印刷ジョブＤ１と電装装置との関連性に基づいて、電装装置の駆動電力Ｗ４を減らす。ＣＰＵ１２は、例えば、印刷ジョブＤ１の実行に必要性の低い電装装置の駆動電力Ｗ４を減らす。これにより、ＣＰＵ１２は、電源を備える外部機器を接続されていない場合であっても、印刷ジョブＤ１との関連性を考慮して電装装置の駆動電力Ｗ４を減らすことで、ジョブ実行電力Ｗ３を適切に確保できる。
【００５１】
（２）また、ＣＰＵ１２（制御装置）は、合計電力Ｗ１が電源供給可能電力Ｗ２を超えることに応じて、印刷ジョブＤ１の実行に必要性の低い電装装置の駆動電力Ｗ４を優先して減らす（図４のＳ２７、Ｓ２９、Ｓ３１、Ｓ３３）。
【００５２】
これによれば、ＣＰＵ１２は、印刷ジョブＤ１の実行に必要性の低い電装装置の駆動電力Ｗ４を優先して減らすことで、印刷ジョブＤ１の実行への影響を低くしながら駆動電力Ｗ４を適切に減らすことができる。
【００５３】
（３）また、電装装置は、表示に係わる処理を実行する表示部（タッチパネル２１）と、通信に係わる処理を実行する通信部（ネットワークインタフェース２４など）と、画像形成部１６（画像処理部）の駆動に係わる駆動部１６３とを有する。ＣＰＵ１２（制御装置）は、印刷ジョブＤ１の実行に必要性の低い電装装置の駆動電力Ｗ４を優先して減らす処理として、表示部、通信部、駆動部１６３の順に駆動電力Ｗ４を減らす（図４のＳ２７、Ｓ２９、Ｓ３１、Ｓ３３）。
【００５４】
例えば、駆動部１６３の駆動電力の低下は、画像形成部１６による印刷（画像処理）の速度の低下に繋がる。このため、印刷ジョブＤ１の実行には、重要である。しかしながら、駆動部１６３は、大きな電力を必要とする。このため、駆動部１６３の機能を低下させることで確保できる電力は大きくなる。また、通信部（ネットワークインタフェース２４など）の駆動電力Ｗ４の低下は、外部から印刷ジョブＤ１を受信できなくなる可能性がある。このため、通信部の電力も可能な限り確保したい。表示部（タッチパネル２１など）は、印刷ジョブＤ１の実行（画像形成部１６の駆動）を開始すると、情報の表示をする必要がなくなることもある。このため、ＣＰＵ１２は、表示部、通信部、駆動部１６３の順に優先度を上げ、表示部から順に駆動電力Ｗ４の削減を実行することで、印刷ジョブＤ１の実行への影響を低くしながら駆動電力Ｗ４を適切に減らすことができる。
【００５５】
（４）また、ＣＰＵ１２（制御装置）は、表示部（タッチパネル２１）及び通信部（ネットワークインタフェース２４など）の両方の駆動電力Ｗ４を減らしたとしても、合計電力Ｗ１が電源供給可能電力Ｗ２を超えることに応じて（図４のＳ２９：ＮＯ）、駆動部１６３の駆動電力Ｗ４を減らす。
【００５６】
これによれば、ＣＰＵ１２（制御装置）は、可能な限り駆動部１６３への電力供給を維持することで、印刷（画像処理）の速度低下などを抑制できる。
【００５７】
（５）また、ＣＰＵ１２（制御装置）は、印刷ジョブＤ１の実行中に、ＵＳＢインタフェース１９（外部インタフェース）に接続された外部機器であって、且つ供給電力Ｗ５の供給を受けている外部機器への供給電力Ｗ５の供給を停止するか否かを判定する処理（図５のＳ４７）と、供給電力Ｗ５の供給を停止することに応じて、停止することで確保した電力を用いて、印刷ジョブＤ１の実行に合わせて減らした駆動電力Ｗ４を補う処理（Ｓ４９）と、を実行する。
【００５８】
これによれば、ＣＰＵ１２は、印刷ジョブＤ１の実行に合わせて駆動電力Ｗ４を減らした後、外部機器への供給電力Ｗ５の供給の有無を判定する。ＣＰＵ１２は、外部機器への供給電力Ｗ５の供給を停止したこと、例えば、外部機器との接続を解除したことに応じて、停止した分だけの電力を確保できる。そして、ＣＰＵ１２は、確保した電力を用いて、印刷ジョブＤ１の実行に合わせて減らした駆動電力Ｗ４を補う。これにより、印刷ジョブＤ１の実行中であっても、確保できた電力を電装装置の駆動電力Ｗ４に割り当てることで、電装装置の能力を戻すことができる。
【００５９】
（６）また、ＭＦＰ１（画像処理装置）は、ユーザからの操作を受け付けるタッチパネル２１（操作部）を備える。ＣＰＵ１２（制御装置）は、電装装置に供給する駆動電力Ｗ４を減らす旨の操作がタッチパネル２１になされたか否かを判定する処理（図５のＳ３９）と、駆動電力Ｗ４を減らす旨の操作がなされたことに応じて、電装装置に供給する駆動電力Ｗ４を減らす処理（Ｓ４１）と、を実行する。
【００６０】
これによれば、ユーザは、電装装置の駆動電力Ｗ４を減らすか否かを決定できる。これにより、接続を解除してもよい外部機器が存在する場合など、ユーザは、電装装置の駆動電力Ｗ４を減らす前に、外部機器を取り外すなどの対応ができる。その結果、電装装置に必要な駆動電力Ｗ４を供給し印刷ジョブＤ１を良好に実行できる。
【００６１】
（７）また、電装装置は、画像形成部１６（画像処理部）を駆動する駆動部１６３を含む。ＣＰＵ１２（制御装置）は、駆動部１６３の駆動電力Ｗ４を減らす可能性があることに応じて、電装装置に供給する駆動電力Ｗ４を減らす旨の操作がタッチパネル２１（操作部）になされたか否かの判定を実行する（図５のＳ３９）。
【００６２】
これによれば、ＣＰＵ１２は、印刷ジョブＤ１の実行に特に重要な駆動部１６３の駆動電力Ｗ４を減らす際に、ユーザの意思を必ず確認する。これにより、印刷（画像処理）の速度を低下させても駆動部１６３の駆動電力Ｗ４を減らして印刷ジョブＤ１を実行すべきなのか、ユーザによる決定を受け付けることができる。
【００６３】
（８）また、画像形成部１６（画像処理部）は、シートに画像を印刷する印刷部である。ＭＦＰ１（画像形成装置）は、排気を実行することで印刷部の印刷にともなう温度上昇を抑制する排気ファン２６を備える。ＣＰＵ１２（制御装置）は、印刷ジョブＤ１に設定されたシートの印刷枚数が閾値Ｔ１以下であることに応じて、排気ファン２６の駆動電力Ｗ４を減らす（図３のＳ２１、Ｓ２３）。
【００６４】
印刷枚数が少ない場合、画像形成部１６（印刷部）の駆動時間は短くなる。ＭＦＰ１の装置内部の温度上昇は抑制される。そこで、ＣＰＵ１２は、印刷枚数が少ないことに応じて排気ファン２６の能力を低下させ、ジョブ実行電力Ｗ３を確保する。これにより、印刷精度への影響を抑制しつつ、ジョブ実行電力Ｗ３を確保できる。
【００６５】
（９）また、ＣＰＵ１２（制御装置）は、電源を備え、且つ供給電力Ｗ５の供給を受けている外部機器が存在するか否かを判定する処理（図３のＳ１７）と、電源を備え、且つ供給電力Ｗ５の供給を受けている外部機器が存在することに応じて、当該外部機器の供給電力Ｗ５を減らす処理（Ｓ１９）と、を実行する。
【００６６】
電源を備えている外部機器は、ジョブ実行時に供給電力Ｗ５を減らしても、電源から電力の供給を受け駆動を維持できる可能性が高い。そこで、ＣＰＵ１２は、電源を備える外部機器の供給電力Ｗ５を減らすことで、ジョブ実行電力Ｗ３を適切に確保できる。
【００６７】
（４．変形例）
尚、本願は上記実施形態に限定されるものではなく、本発明の趣旨を逸脱しない範囲内での種々の改良、変更が可能であることは言うまでもない。
例えば、上記実施形態では、ＣＰＵ１２は、印刷ジョブＤ１（ジョブ）と電装装置との関連性に基づく処理として、印刷ジョブＤ１の全体を通じて使用する可能性が低い電装装置（タッチパネル２１など）の駆動電力Ｗ４を優先して減らしたが、これに限らない。例えば、ＣＰＵ１２は、ジョブのシーケンスに応じて電装装置の駆動電力Ｗ４を減らしてもよい。例えば、ＣＰＵ１２は、ＦＡＸ機能を実行する場合、原稿の読み込み時にはＦＡＸ通信部１８のＣＩＳ（Contact Image Sensor）などの読み取り機構に駆動電力Ｗ４を供給しＦＡＸ通信部１８の送信回路の駆動電力Ｗ４を減らす一方で、ＦＡＸ送信時には送信回路に駆動電力Ｗ４を供給しＣＩＳなどの駆動電力Ｗ４を減らしてもよい。
【００６８】
また、上記実施形態では、ＣＰＵ１２は、外部機器への供給電力Ｗ５を停止して、ジョブ実行電力Ｗ３を確保したが（Ｓ１９）、供給電力Ｗ５の停止を実行しなくともよい。
また、ＣＰＵ１２は、印刷ジョブＤ１の実行中に外部機器との接続を解除等されると、解除等することで確保した余剰電力を用いて、印刷ジョブＤ１の実行に合わせて減らした駆動電力Ｗ４を補う処理（Ｓ４９）を実行した。しかしながら、ＣＰＵ１２は、印刷ジョブＤ１の実行中に外部機器との接続に変更があっても、駆動電力Ｗ４の変更を実行しなくともよい。
【００６９】
また、ＣＰＵ１２は、駆動電力Ｗ４を減らすかどうかの最終判断を、タッチパネル２１によるユーザの操作に基づいて判定したが（Ｓ３９）、これに限らず、例えば、ユーザの指示を受け付けずに自動で駆動電力Ｗ４を変更してもよい。
また、ＣＰＵ１２は、印刷ジョブＤ１の印刷枚数に応じて排気ファン２６の駆動電力Ｗ４を減らしたが（Ｓ２３）、これに限らない。ＣＰＵ１２は、例えば、排気ファン２６の駆動電力Ｗ４を減らす制御を実行しなくともよい。
また、上記実施形態では、駆動部１６３を画像形成部１６に設けたが、駆動部１６３を画像形成部１６と別に設けてもよい。
また、本願における外部インタフェースから電力を供給可能な所定の規格は、ＵＳＢ２．０に限らず、ＵＳＢ３．０、ＵＳＢバッテリーチャージング、ＵＳＢパワーデリバリーでもよい。また、所定の規格は、ＵＳＢ規格に限らず、他の電力を供給可能な接続規格でもよい。
【００７０】
また、上記実施形態では、本願の制御装置として、所定のプログラムを実行するＣＰＵ１２を採用したが、これに限らない。例えば、制御装置を、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの専用のハードウェアで構成してもよい。また、制御装置は、例えばソフトウェアによる処理と、ハードウェアによる処理とを併用して動作する構成でもよい。
また、上記実施形態では、本願の画像処理装置として複合機であるＭＦＰ１を採用したが、これに限らない。本願の画像処理装置は、プリンタ装置、コピー装置、ファックス装置、スキャナ装置でもよい。この場合、本願における画像データを処理する画像処理部は、画像形成部１６に限らず、画像読取部１７、ＦＡＸ通信部１８などでもよい。また、本願におけるジョブは、印刷を実行する印刷ジョブＤ１に限らず、例えば、コピー機能、ＦＡＸ機能、スキャナ機能を実行する際のジョブ（ユーザからの指令）でもよい。
【符号の説明】
【００７１】
１  ＭＦＰ（画像処理装置）、１２  ＣＰＵ（制御装置）、１６  画像形成部（画像処理部）、１９  ＵＳＢインタフェース（外部インタフェース）、２１  タッチパネル（電装装置、表示部、操作部）、２４  ネットワークインタフェース（通信部）、２５  電源（電源部）、２４  ネットワークインタフェース（電装装置）、２６  排気ファン（電装装置）、３１  常設メモリ（外部機器）、３２  外部メモリ（外部機器）、３３  ノートＰＣ（外部機器）、１５３  画像データ、１６３  駆動部（電装装置）、Ｄ１  印刷ジョブ、Ｗ１  合計電力、Ｗ２  電源供給可能電力、Ｗ３  ジョブ実行電力、Ｗ４  駆動電力、Ｗ５  供給電力。
【図１】
2018166281.tif 000003
【図２】
2018166281.tif 000004
【図３】
2018166281.tif 000005
【図４】
2018166281.tif 000006
【図５】
2018166281.tif 000007